(57)【要約】【課題】パイロンの表示灯の点灯又は消灯を自動で行う。【解決手段】  互いに入れ子式に積み重ねることが可能な形状に形成されたパイロン本体１２の上部に内部に表示灯を備えた表示灯ユニット１４を設けたパイロン１０であって、前記表示灯ユニット１４は上壁１４１と底壁１４２及び上壁１４１と底壁１４２間の側壁１４３とからなる透明な容器として構成されており、上壁１４１には磁気検出器１４０とリング状の磁石１４６Ｒがまた、底壁１４２にはそれぞれに対応して磁石１４６と磁気検出器１４０Ｒ配置されている。表示灯１４４が点灯しているパイロン１０同士を積み重ねたとき、前記磁気検出器１４０，１４０Ｒは他のパイロン表示灯ユニット１４の磁石１４６、１４６Ｒを検出して表示灯１４４を消灯する。【選択図】  図３
2010084338.tif 000002
【特許請求の範囲】
【請求項１】
互いに入れ子式に積み重ねることが可能な形状に形成されたパイロン本体の上部に内部に表示灯を備えた表示灯ユニットを設けたパイロンであって、
前記表示灯ユニットはそれぞれ剛性を有する上壁と底壁及び上壁と底壁間の側壁とからなる透明な容器として構成されており、上壁には被検出体と検出体のいずれか一方が、また底壁にはいずれか他の一方がそれぞれ対応して配置されており、かつ、パイロン同士を積み重ねたとき、前記検出体は他のパイロン表示灯ユニットの被検出体を検出して前記表示灯を消灯するスイッチング手段を備えていることを特徴とするパイロン。
【請求項２】
互いに入れ子式に積み重ねることが可能な形状に形成されたパイロン本体の上部に内部に表示灯を備えた表示灯ユニットを設けたパイロンであって、
前記表示灯ユニットは上壁と底壁及び上壁と底壁間の側壁とからなる透明な容器として構成されており、上壁及び底壁にはそれぞれ被検出体と検出体が、上壁と底壁で互いに対向する位置になるように配置されており、かつ、パイロン同士を積み重ねたとき、前記検出体は他のパイロン表示灯ユニットの被検出体を検出して前記表示灯を消灯するスイッチング手段を備えていることを特徴とするパイロン。
【請求項３】
請求項２に記載されたパイロンにおいて、
前記表示灯ユニットの上壁には、その中央部に検出体を、また、該検出体の周りに所定間隔を置いてリング状の被検出体を配置し、底壁には、その中央部に被検出体を、また、上壁の被検出体の一部に対応する位置に検出体を設けたことを特徴とするパイロン。
【請求項４】
請求項１ないし３のいずれかに記載されたパイロンにおいて、
前記被検出体は磁石であり、かつ前記検出体は磁気検出器であることを特徴とするパイロン。
【請求項５】
互いに入れ子式に積み重ねることが可能な形状に形成されたパイロン本体の上部に内部に表示灯を備えた表示灯ユニットを設けたパイロンであって、
前記表示灯ユニットは内部に仕切壁及び表示灯を備えた透明な少なくともその上面及び下面が可撓性を有する容器として構成されており、前記仕切壁には前記表示灯をＯＮ／ＯＦＦする上部及び下部スイッチが設けられており、前記容器の上面及び下面の前記上部及び下部スイッチに対向する位置に、前記可撓性を有する上面及び下面が押圧されたときに、前記上部及び下部スイッチを押圧操作する突起状の押圧子が設けられていることを特徴とするパイロン。
【発明の詳細な説明】
【技術分野】
【０００１】
本発明は、道路工事現場などで危険区域を表示するためのパイロンに関する。
【背景技術】
【０００２】
道路工事などにおいて危険区域を表示するためコーン型のパイロンが使用されている。パイロンは、夜間でも見やすくするため内部に表示灯を装備したものがあるが、表示ランプのＯＮ／ＯＦＦを切り替える手間を省くため、コーン型のパイロンを積み重ねたときにその重みで動作する機械的なスイッチを表示灯の下部に設けることで、単に積み重ねた状態にしてスイッチをＯＦＦにするパイロンの発光装置が知られている（特許文献１参照）。
【０００３】
図７は、特許文献１に記載されたパイロンの発光装置を示す。
このパイロン１２０の発光装置は、パイロン１２０の上部に発光部材１３０が取り付けてられており、図示しない手動式の点灯スイッチと消灯スイッチ１３５によりパイロンの発光装置をＯＮ／ＯＦＦするように構成されている。
消灯スイッチ１３５は、カバー内に収納さればねによって下方へ弾発されるボルト状の操作杆の上下動によってＯＮ／ＯＦＦを行うように構成されており、パイロンを上下に重ねたときに、操作杆が下側のパイロン上端部に押し上げられるとＯＦＦし、パイロンを持ち上げて下側のパイロンから外したときに、操作杆がばねで下方に弾発されて下降してＯＮするようになっている。
【０００４】
また、この消灯スイッチとは別に手動スイッチを設けておき、例えば保管する場合には手動スイッチをＯＦＦにしておく。
パイロンの使用時には、予め手動スイッチをＯＮにしておいてパイロンを積み重ねると、パイロンの自重で上記操作杆が下側のパイロンの上端部で相対的に押し上げられる結果、上側のパイロンの発光装置は消灯する。
なお、同文献によれば、最下層のパイロンの手動スイッチはＯＦＦのままにしておいて、使用現場でＯＮにしてもあるいは、ＯＮのままでもよいと記載されている。
【０００５】
しかしながら、このような消灯スイッチは機械的なスイッチであるため、使用を繰り返すうちに可動部が損傷し、機能が働かなくなることがある。
また、積み重ねの最下部に配置したパイロンを使用する場合は、使用の都度手動スイッチを操作する必要があるため操作が煩雑である。そのため、同文献に記載されているように、現場が近い場合は予め手動スイッチをＯＮにしておくが、この場合には電池の浪費が避けられない。
【特許文献１】特開平１０−６０８４２号公報
【発明の開示】
【発明が解決しようとする課題】
【０００６】
本発明は、従来のパイロンの発光装置における上記問題を解決するためになされたものであって、その第１の目的は、パイロンの発光装置のスイッチを機構的構造を持たないものとして、パイロンの積み重ねの位置に関わらず、パイロン同士を上下に重ねたときはパイロンの発光装置をＯＦＦし、外したときは、自動的にＯＮするようにすることであり、第２の目的は、パイロンを積み重ねたときに、最上部或いは最下部のパイロンの発光装置のスイッチをＯＦＦできるようにして、パイロンの使い勝手を向上することである。
【課題を解決するための手段】
【０００７】
請求項１の発明は、互いに入れ子式に積み重ねることが可能な形状に形成されたパイロン本体の上部に内部に表示灯を備えた表示灯ユニットを設けたパイロンであって、前記表示灯ユニットはそれぞれ剛性を有する上壁と底壁及び上壁と底壁間の側壁とからなる透明な容器として構成されており、上壁には被検出体と検出体のいずれか一方が、また底壁にはいずれか他の一方がそれぞれ対応して配置されており、かつ、パイロン同士を積み重ねたとき、前記検出体は他のパイロン表示灯ユニットの被検出体を検出して前記表示灯を消灯するスイッチング手段を備えていることを特徴とする。
請求項２の発明は、互いに入れ子式に積み重ねることが可能な形状に形成されたパイロン本体の上部に内部に表示灯を備えた表示灯ユニットを設けたパイロンであって、前記表示灯ユニットは上壁と底壁及び上壁と底壁間の側壁とからなる透明な容器として構成されており、上壁及び底壁にはそれぞれ被検出体と検出体が、上壁と底壁で互いに対向する位置になるように配置されており、かつ、パイロン同士を積み重ねたとき、前記検出体は他のパイロン表示灯ユニットの被検出体を検出して前記表示灯を消灯するスイッチング手段を備えていることを特徴とする。
請求項３の発明は、請求項２に記載されたパイロンにおいて、前記表示灯ユニットの上壁には、その中央部に検出体を、また、該検出体の周りに所定間隔を置いてリング状の被検出体を配置し、底壁には、その中央部に被検出体を、また、上壁の被検出体の一部に対応する位置に検出体を設けたことを特徴とする。
請求項４の発明は、請求項１ないし３のいずれかに記載されたパイロンにおいて、前記被検出体は磁石であり、かつ前記検出体は磁気検出器であることを特徴とする。
請求項５の発明は、互いに入れ子式に積み重ねることが可能な形状に形成されたパイロン本体の上部に内部に表示灯を備えた表示灯ユニットを設けたパイロンであって、前記表示灯ユニットは内部に仕切壁及び表示灯を備えた透明な少なくともその上面及び下面が可撓性を有する容器として構成されており、前記仕切壁には前記表示灯をＯＮ／ＯＦＦする上部及び下部スイッチが設けられており、前記容器の上面及び下面の前記上部及び下部スイッチに対向する位置に、前記可撓性を有する上面及び下面が押圧されたときに、前記上部及び下部スイッチを押圧操作する突起状の押圧子が設けられていることを特徴とする。
【発明の効果】
【０００８】
本発明によれば、パイロンの発光装置のスイッチは機構部を備えていないため、長期の使用にも機構的な損傷が生じることがない。また、従来のもののように積み重ねた最下部のパイロンの電池の浪費或いは手動スイッチ投入などの操作を必要としないため、パイロンの使い勝手を向上することができる。
【発明を実施するための最良の形態】
【０００９】
本発明のパイロンの第１の実施形態を図面を参照して説明する。
図１は、第１の実施形態に係るパイロン１０を積み重ねた状態で示す断面図である。
パイロン１０は、例えば赤色の不透明合成樹脂材料で形成されたパイロン本体１２と、このパイロン本体１２の上部に一体に設けられた、例えば赤色透明（ここでは半透明も含む）な合成樹脂材料でできた表示灯ユニット１４から成っており、全体として円錐台形を成している。
表示灯ユニット１４は、円形の上壁１４１、円形の上壁１４１よりも大径の底壁１４２、及び上下壁１４１，１４２間に延在する側壁１４３からなる円錐台形の閉じた容器状をなし、その上壁１４１中央部には磁気検出器１４０が、また底壁１４２の中央部の上記磁気検出器１４０に対応して磁石（永久磁石）１４６が設けられている。
また、底壁１４２上には、表示灯１４４及び電池１４５が配置されている。
【００１０】
図２Ａは、表示灯１４４の点灯制御回路を示す。
点灯制御回路は、表示灯１４４と、表示灯１４４に電力を供給する電池１４５と、表示灯１４４の一端と電池１４５の間に接続されたトランジスタＴと抵抗Ｒ１、抵抗Ｒ２からなるスイッチング素子１４７と、スイッチング素子１４７をＯＮ／ＯＦＦ制御するためのホールＩＣ１４０ａから成っている。
【００１１】
図２Ｂは、図２Ａに示す点灯制御回路の動作タイミング図である。
ここで、ホールＩＣ１４０ａには常に電池１４５の電圧が印加されており、ホールＩＣ１４０ａは磁気を感知するとその出力側に起電力が生じることで磁気検出が行われる。つまり、磁気を検出するとホールＩＣ１４０ａに起電力が生じ、ホールＩＣ１４０ａの出力側の電圧０ＶがトランジスタＴのベースに印加される。
即ち、表示灯１４４は、ホールＩＣ１４０ａが磁気検出しない状態では、電池１４５の電圧が抵抗Ｒ１とＲ２により分圧されてトランジスタＴのベースに印加されるため、トランジスタＴが導通し、したがって表示灯１４４は電池１４５からの電力供給を受けて点灯する。
ここで、ホールＩＣ１４０ａが下側のパイロン１０の表示灯ユニット１４の磁石１４６の磁気を検出すると、ホールＩＣ１４０ａに起電力を生じトランジスタＴのベース電圧が０Ｖとなるため、トランジスタＴが遮断されスイッチング素子１４７が開放し、電池１４５からの電力供給が停止して表示灯１４４は消灯する。
【００１２】
即ち、図２Ｂに示す点灯動作タイミング図から明らかなように、パイロン１０を上下に入れ子式に積み重ねたとき、下側のパイロン１０の上壁１４１の上面と上側のパイロン１０の底壁１４２の下面が当接するため、夫々に設けた磁気検出器１４０と磁石１４６とが当接又は近接し、それによって電池１４５から表示灯１４４への通電が遮断されて表示灯１４４は消灯する。逆に、上側のパイロン１０を下側のパイロン１０から分離すると、ホールＩＣ１４０ａはオープンとなり、スイッチング素子１４７が導通し電池１４５から表示灯１４４への通電が再開され、表示灯１４４が点灯する。
【００１３】
本実施形態では、従来のように表示灯への通電制御をスイッチング素子と電流制御素子によって構成されるスイッチング回路を用い、機構的な可動部分がないため、従来の機械的なスイッチング機構を用いたものに対して故障するおそれがない。
本実施形態では、パイロンを積み重ねた時、最下部のパイロンについては、従来と同様に別途設けた手動スイッチによる点灯電源のＯＮ／ＯＦＦが必要である。
なお、以上の説明では、表示灯ユニット１４の上壁に磁気検出器１４０を、また、底壁に磁石１４６を設けたものとして説明したが、表示灯ユニット１４の上壁に磁石１４６を、また底壁に磁気検出器１４０を設けたものでもよい。この場合には、パイロンを積み重ねた時、最上部のパイロンについては、従来と同様に別途設けた手動スイッチによる点灯電源をＯＮ／ＯＦＦすることが必要である。
【００１４】
次に、本発明の第２の実施形態について図３を参照して説明する。
第２の実施形態のパイロンは、第１のパイロンでは、手動スイッチの操作を必要としたが、本実施形態ではこれを不要とするものである。
図３は、第２の実施形態のパイロンを積み重ねた状態で示す断面図であり、図中、第１の実施形態と同一の箇所には同一の符号を付してある。
本実施形態のパイロン１０は、第１の実施形態の表示灯ユニット１４に相違して、表示灯ユニット１４の上壁１４１の中央部に配置した磁気検出器１４０の周りに所定間隔を置いてリング状の磁石（永久磁石）１４６Ｒが設けられており、他方、その底壁１４２には、その中央部に設けた磁石１４６に加えて、そこから所定間隔を置いて前記リング状の磁石１４６Ｒに対応して磁気検出器１４０Ｒが設けられている。その他の点では、第１の実施形態のパイロンと同じである。
なお、本実施形態において、表示灯ユニット１４の底壁１４２にリング状の磁石１４６Ｒに対応して磁気検出器１４０Ｒが設けられているため、パイロンを重ねるとき上下の表示灯ユニット１４の中心軸回りの位置合わせが不要となる利点がある。
【００１５】
図４は、第２の実施形態のパイロンの表示灯の点灯制御回路である。
この点灯制御回路は、第１の実施形態に対して、表示灯ユニット１４の底壁１４２に下部ホールＩＣを配置した結果、二つのホールＩＣつまり上部ホールＩＣ１４０ａと下部ホールＩＣ１４０ａＲを備えた点で相違し、その他の点では同様である。
【００１６】
図５は、第２の実施形態のパイロンの点灯制御回路の動作タイミング図である。
即ち、図５Ａ、５Ｂは、二段重ねにしたときの動作タイミング図であり、図５Ｃは３段以上重ねたときの、上端または下端以外の中間に位置するパイロンの点灯制御回路の動作タイミング図である。
先ず、図５Ａについて説明する。
この状態は、最初のパイロン１０の上に他のパイロン１０を積み重ねた状態における、上側のパイロン１０の表示灯１４４の点灯制御回路の動作タイミングを示す。この状態においては、上部磁気検出器１４０による磁気の検出はないから上部ホールＩＣ１４０ａはオープンの状態にある。
他方、下部磁気検出器１４０Ｒはその下側にあるパイロン１０の上側の磁石１４６Ｒに当接したときにその磁気を検出する。それによって、下部ホールＩＣ１４０ａＲは起電力を生じ、その出力電圧０ＶがトランジスタＴのベースに印加される結果、表示灯のスイッチング素子１４７のトランジスタＴを開放する。つまり、表示灯１４４を消灯する。
【００１７】
図５Ｂは、パイロン１０の上に他のパイロン１０を積み重ねた状態における下側のパイロン１０の表示灯１４４の点灯制御回路の動作タイミングを示す。この状態においては、上部磁気検出があるとき上部ホールＩＣ１４０ａはその出力電圧が０Ｖになるような起電力を発生し、したがって、表示灯１４４が消灯することを示している。
なお、下側のパイロン１０の下部磁気検出器１４０Ｒは磁気を検出しないから、下部ホールＩＣ出力は積み重ねの前後においてオープンのままであるが、点灯制御回路から明らかなように、表示灯１４４と電池１４５とを回路中のスイッチング素子１４７は既に上部ホールＩＣ１４０ａの出力が０Ｖとなっているため、ＯＦＦになっているので、表示灯１４４は、下側パイロン１０の状態に関係なく上に別のパイロン１０を積み重ねたとき消灯する。
逆に上側のパイロン１０を外せば再び点灯する。
【００１８】
図５Ｃは、下側パイロン１０の上に他のパイロン１０を積み重ねた状態においてさらにその上にパイロン１０を積み重ねたときの、中間に位置するパイロンの点灯制御回路の動作タイミングを示す図である。
この場合は、上下いずれの磁気検出器１４０，１４０Ｒとも夫々上下に隣接するパイロンの磁石１４６、１４６Ｒの磁気を検出する。つまり、上部ホールＩＣ１４０ａ，下部ホールＩＣ１４０ａＲとも磁気を検出してそれぞれ起電力を生じる。つまり、上部ホールＩＣ１４０ａ，下部ホールＩＣ１４０ａＲのいずれの出力電圧とも０Ｖとなる。それに伴って表示灯１４４と電池１４５とを結ぶ回路に接続されたスイッチング素子１４７はＯＦＦになるため、表示灯１４４は消灯する。
なお、上にあるパイロン１０を外しただけでは図５Ｂに付いて説明したように下にあるパイロン１０の表示灯１４４は点灯しない。当該パイロン１０を外したとき初めて点灯する。
また、以上で説明した実施形態における上壁１４１及び底壁１４２における磁気検出器１４０と磁石１４６、リング状の磁石１４６Ｒの配置を逆にして、底壁１４２の中心部に磁気検出器１４０を配置すると共に、その周りに所定間隔を隔ててリング状の磁石１４６Ｒを配置し、上壁１４１の中央部に磁石１４６を配置しかつそれから所定間隔を隔てて前記リング状の磁石１４６Ｒに対応して磁気検出器１４０Ｒを設けてもよい。
以上、第１及び第２の実施形態では、被検出体として磁石を、検出体として磁気検出器であるとして説明したが、被検出体及び検出体はこれらに限定されず、他の周知の近接スイッチ素子、例えば、一方を発光体とし他方を光センサで構成することもできる。
【００１９】
次に第３の実施形態について説明する。
図６Ａは、第３の実施形態のパイロンを重ねた状態における断面図である。
ここでは、表示灯ユニット１４（１）は、例えば可撓性を有する赤色透明合成樹脂製容器からなり、この容器の内部は、その上下中間位置に上室と下室とを分割する仕切壁１４８が設けられて、この仕切壁の中心にはその上下対象にスイッチＳＷ１とＳＷ２とが設けられている。スイッチＳＷ１、ＳＷ２は、それぞれ上下に突出するようバネ付勢されたスイッチ操作杆Ｌ１，Ｌ２を備え、スイッチ操作杆Ｌ１、Ｌ２は、がスイッチＳＷ１、ＳＷ２に対してそれぞれ上下方向に摺動自在に取り付けられている。また、表示灯ユニット１４（１）の上部及び底部の内壁中央部には、それぞれ上記スイッチ操作杆Ｌ１，Ｌ２に対応して突起からなる押圧子Ｅ１，Ｅ２が設けられている。
【００２０】
したがって、パイロン１０の上に別のパイロン１０を重ねると、上側のパイロン１０の表示灯ユニット１４（１）のそれぞれ可撓性を有する下面と下側のパイロンの表示灯ユニット１４（１）の上面とが当接しかつ上側パイロン１０の重量により、前記当接面を変形しながら上側のパイロン１０が下降する。このとき、上側のパイロン１０においては、その表示灯ユニット１４（１）の下側のスイッチＳＷ２が下降してそのスイッチ操作杆Ｌ２の下端面が下側の押圧子Ｅ２の上端面に当接する。他方、下側のパイロン１０の表示灯ユニット１４（１）では、上側の押圧子Ｅ１が上側のパイロン１０の自重で押されて下降し、その押圧子Ｅ１の下端面がスイッチＳＷ１のスイッチ操作杆Ｌ１の上端面に接触して後押下する。
【００２１】
図６Ｂは、図６Ａで示したパイロンの表示灯１４４の点灯制御回路である。
図示のように、点灯制御回路において、表示灯１４４と電池１４５とを接続する回路に第１及び第２のスイッチＳＷ１、ＳＷ２が配置されており、どちらか一方のスイッチがＯＦＦすると表示灯１４４が消灯し、第１，第２のスイッチＳＷ１、ＳＷ２が同時にＯＮになったときのみ点灯する。ここで、図６A中の符合Ｆは、パイロン１０を入れ子式に上下に重ねたときに、押圧子Ｅ１、Ｅ２に作用する力の方向を示す。
【００２２】
この第３の実施形態のパイロン１０は、第２の実施形態のパイロン１０と同じ機能を有するが、スイッチには機構的に可動部を有することから第２の実施形態のスイッチング素子に比べて経年時に故障を起こす可能性はやや高い。
しかし、本実施形態によれば、従来のパイロンと相違して、パイロンを入れ子式に重ね合わせたときに最下端及び最上端のパイロンのいずれも表示灯は自動的に消灯するから、使い勝手が格段に向上する。
【図面の簡単な説明】
【００２３】
【図１】第１の実施形態のパイロンの積み重ねた状態における断面図である。
【図２】図２Ａは表示灯の点灯制御回路、図２Ｂは図２Ａに示す点灯制御回路の動作タイミング図である。
【図３】第２の実施形態のパイロンの積み重ねた状態における断面図である。
【図４】第２の実施形態のパイロンの表示灯の点灯制御回路である。
【図５】第２の実施形態のパイロンの点灯制御回路の動作タイミング図であり、図５Ａ、５Ｂは、二段重ねにしたときの動作タイミング図、図５Ｃは３段以上重ねたときの、上端または下端以外の中間に位置するパイロンの点灯制御回路の動作タイミング図である。
【図６】図６Ａは、第３の実施形態のパイロンを重ねた状態における断面図、図６Ｂは、図６Ａで示したパイロンの表示灯の点灯制御回路である。
【図７】従来のパイロンの積み重ねた状態における断面図である。
【符号の説明】
【００２４】
１０・・・パイロン、１４・・・表示灯ユニット、１４０・・・磁気検出器、１４０ａ、１４０ａＲ・・・ホールＩＣ、１４１・・・上壁、１４２・・・底壁、１４３・・・側壁、１４４・・・表示灯、１４５・・・電池、１４６、１４６Ｒ・・・磁石、１４７・・・スイッチング素子、１４８・・・仕切壁。
【図１】
2010084338.tif 000003
【図２】
2010084338.tif 000004
【図３】
2010084338.tif 000005
【図４】
2010084338.tif 000006
【図５】
2010084338.tif 000007
【図６】
2010084338.tif 000008
【図７】
2010084338.tif 000009